(57)【要約】【課題】孤立通信装置の状況を取得するのに要する人の工数を低減し得る通信装置等の提供。【解決手段】通信装置は、通信部と処理部とを備える。前記処理部は、ネットワークを管理する管理装置との間で所定の通信が行えない状況にあるという判定結果を得た場合に当該状況に係る状況情報を作成する。前記通信部は、前記判定結果を得ない場合に、前記管理装置との間で前記所定の通信が行える他の通信装置との間で無線による通信を行う。前記通信装置は、また、前記判定結果を得た場合に、前記状況情報を含む無線信号の送出を行う。【選択図】      図１
2018098625.tif 000002
【特許請求の範囲】
【請求項１】
ネットワークを管理する管理装置との間で所定の通信が行えない状況にあるという判定結果を得た場合に当該状況に係る状況情報を作成する処理部と、
前記判定結果を得ない場合に、前記管理装置との間で前記所定の通信が行える他の通信装置との間で無線による通信を行い、前記判定結果を得た場合に、前記状況情報を含む無線信号の送出を行う、通信部と、
を備える、通信装置。
【請求項２】
前記状況が、直接、及び、前記管理装置との間で通信可能ないずれの通信装置を介して、のいずれにおいても前記所定の通信が行えないことである、請求項１に記載された通信装置。
【請求項３】
前記状況情報が自己の識別情報を含む、請求項１又は請求項２に記載された通信装置。
【請求項４】
前記状況情報が前記ネットワークの識別情報を含む、請求項１乃至請求項３のうちのいずれか一に記載された通信装置。
【請求項５】
前記状況情報が自己の故障に関する故障情報を含む、請求項１乃至請求項４のうちのいずれか一に記載された通信装置。
【請求項６】
前記故障情報を、前記通信部が取得したログ情報から導出する、請求項５に記載された通信装置。
【請求項７】
前記状況情報が自己の部分について計測した計測データを含む、請求項１乃至請求項６のうちのいずれか一に記載された通信装置。
【請求項８】
他の通信装置が属すべきネットワークを管理する管理装置との間で所定の通信が行えない状況にある他の通信装置が放出する、前記状況についての状況情報を含む無線信号を受け取り得る通信部と、
前記無線信号に含まれる前記状況情報を取得する処理部と、
前記状況情報の出力を行う出力部と
を備える通信装置。
【請求項９】
前記出力が、前記通信部を介しての前記管理装置に対する前記状況情報の送付である、請求項８に記載された通信装置。
【請求項１０】
前記状況情報の送付が、前記管理装置に対する、直接、又は、前記ネットワークに属するいずれかの通信装置を介しての、送付である、請求項９に記載された通信装置。
【発明の詳細な説明】
【技術分野】
【０００１】
本発明は、あるネットワークに属することが想定された通信装置に関する。
【背景技術】
【０００２】
各地に設置された計測機能を持つ複数の無線端末によりネットワーク（ＮＷ）を形成し、各無線端末の計測データを収集することが、行われている。
【０００３】
当該ＮＷにおいて、本来は当該ＮＷに属すべきある無線端末に何らかの不都合が生じて、当該無線端末が当該ＮＷから外れた孤立端末（孤立通信装置）になることが生じ得る。当該不都合は、例えば、その無線端末の故障や電池切れ、又は、その無線端末と前記ＮＷを形成している他の無線端末との間の電波を届きにくくする環境変化（例えば電波遮蔽物が形成された等）が生じたことである。
【０００４】
孤立端末は当該孤立端末が属すべきＮＷに属さない状況なので、当該孤立端末の不都合の状態や計測データは、当該ＮＷ経由では収集することができない。そのため、検査員が前記ＮＷに属する各無線端末を巡回して目視により孤立端末の不都合の有無及びその状況を確認する方法が一般に行われている。
【０００５】
ここで、特許文献１は、データを無線通信により中継して上位装置に送信するための複数の無線検針装置と、前記複数の無線検針装置と無線通信を行ってデータを取得するための移動端末とを備える無線検針システムを開示する。
【０００６】
また、特許文献２は、ゲートウェイの故障を検出した場合、検出したゲートウェイに接続中の通信ユニットと直接通信が可能なゲートウェイに接続中の通信ユニットを介して、故障したゲートウェイの識別情報を含む信号を送信する、通信システムを開示する。
【先行技術文献】
【特許文献】
【０００７】
【特許文献１】特開２０１４−０６４１５５号公報
【特許文献２】特開２０１２−２５３５５４号公報
【発明の概要】
【発明が解決しようとする課題】
【０００８】
しかしながら、背景技術の項で述べた、検査員が各無線端末を巡回し各無線端末の不具合状況を目視により確認する方法は、検査員の多くの工数を必要とする。
【０００９】
本発明は、孤立通信装置の状況を取得するのに要する人の工数を低減し得る通信装置等の提供を目的とする。
【課題を解決するための手段】
【００１０】
本発明の通信装置は、通信部と処理部とを備える。前記処理部は、ネットワークを管理する管理装置との間で所定の通信が行えない状況にあるという判定結果を得た場合に当該状況に係る状況情報を作成する。前記通信部は、前記判定結果を得ない場合に、前記管理装置との間で前記所定の通信が行える他の通信装置との間で無線による通信を行い、前記判定結果を得た場合に、前記状況情報を含む無線信号の送出を行う。
【発明の効果】
【００１１】
本発明の通信装置等は、孤立通信装置の状況を取得するのに要する人の工数を低減し得る。
【図面の簡単な説明】
【００１２】
【図１】第一実施形態の通信システムの構成例と動作例を表す概念図である。
【図２】第一実施形態の通信システムが行う動作例を表すシーケンス図である。
【図３】端末Ａ乃至Ｃ、Ｉ、及びＭの例である端末１１０の構成を表す概念図である。
【図４】端末Ａ乃至Ｃ及びＩの各々が行う処理の処理フロー例を表す概念図である。
【図５】Ｓ２０５−２の処理の第一の処理フロー例を表す図である。
【図６】Ｓ２０５−２の処理の第二の処理フロー例を表す図である。
【図７】端末Ｍが行う故障情報等の受信に係る処理の処理フロー例を表す概念図である。
【図８】端末Ｍが行う故障情報等の転送処理の処理フロー例を表す概念図である。
【図９】第二実施形態の通信システムの構成例と動作例を表す概念図である。
【図１０】端末Ｍが各孤立端末から取得した情報の一覧例を表す図である。
【図１１】図４に表す処理の一部を置き換える処理を表す概念図である。
【図１２】図７に表す処理の一部を置き換える処理を表す概念図である。
【図１３】本発明の最小限の通信装置の構成を表すブロック図である。
【発明を実施するための形態】
【００１３】
＜第一実施形態＞
第一実施形態は、孤立端末が一つの場合を想定した通信システムに関する実施形態である。なお、当該通信システムにおける各端末は、ＩＥＥＥ  ８０２．１１標準に準拠したものである。ここで、ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓの略である。
［構成と動作］
図１は、第一実施形態の通信システムの例である通信システム１５１ａの構成と動作例を表す概念図である。
【００１４】
通信システム１５１ａは、ＮＷ５０１と、端末Ｉと、端末Ｍとを備える。ここで、ＮＷはＮｅｔｗｏｒｋの略である。
【００１５】
ＮＷ５０１は、端末Ａ乃至Ｃと、サーバＨとを備える。
【００１６】
サーバＨは、ＮＷ５０１を管理する管理サーバ（管理装置）である。
【００１７】
端末Ａ乃至Ｃは、サーバＨの管理下において無線による通信を行う通信端末である。端末Ａ乃至Ｃの各々は、直接、又は、端末Ａ乃至Ｃのうちの他の端末を介して、サーバＨとの間で通信を行い得る。
【００１８】
当該通信は、より具体的には、例えば、所定のデータを計測により取得し、取得したデータ（計測データ）をサーバＨに対して送る、データ通信である。そして、端末Ａ乃至Ｃは、例えば、当該データ通信を行うデータ通信端末である。
【００１９】
当該データ通信端末は、さらに具体的には、例えば、電力メータや環境計測機器等である。当該データ通信端末が電力メータの場合は、前記計測データには例えば使用電力量や発電量が含まれる。また、当該データ通信端末が環境計測機器である場合には、前記計測データには、例えば、気温、気圧、湿度、公害物質の量等が含まれる。
【００２０】
端末Ａ及びＣはサーバＨと直接無線による通信を行い得るとともに、ＮＷ５０１に属する他の端末と通信を行い得る。
【００２１】
ここで、ある「ＮＷに属する」は、当該ＮＷを管理する管理装置と直接又は間接に通信を行い得る状況にあることをいう。また、管理装置と「間接に通信を行い得る状況」は、当該管理装置と直接又は間接に通信を行い得る他の端末を介して、当該管理装置と通信を行い得ることをいう。
【００２２】
端末Ｂは、サーバＨと直接は無線による通信を行わない。端末Ｂは、端末Ａ及びＣとは無線による通信を行う。そして、端末Ｂは、端末Ａ、Ｃ又はＡとＣの双方、を介してサーバＨと通信を行い得る。
【００２３】
端末Ｉは、本来は、サーバＨと直接又は間接に通信を行い得ることからＮＷ５０１に属することが想定されている端末である。そして、端末Ｉは、例えば、前述の端末Ａ乃至Ｃの機能と同様の機能を有することが想定されている端末である。しかしながら、端末Ｉは、何らかの事情により、端末Ａ乃至Ｃ及びサーバＨのいずれとも通信を行わなくなり、ＮＷ５０１に属さなくなっている。当該事情としては、例えば、端末Ｉの故障や電池切れ又は無線環境の変化が想定される。当該無線環境の変化としては、例えば、端末Ｉの移動や遮蔽物の設置による無線電波の減衰等が想定される。
【００２４】
本来はあるＮＷに属することが想定されており、当該ＮＷに属さなくなっている端末（通信装置）を「孤立端末（孤立通信装置）」という。端末Ｉは孤立端末である。
【００２５】
端末Ｍは、移動しながら孤立端末を通信により探し、見つけた孤立端末の故障情報等の取得を試みる捜索端末である。ここで、「故障情報等」は、故障情報及び後述の計測データをいう。
【００２６】
端末Ｍは、例えば、矢印１９９ａに沿って移動する。当該移動は、端末Ｍが備える図示しない移動手段によって行ってもよいし、外部の移動手段により行われてもよい。当該移動が外部により行われる場合の当該外部は、例えば、人や車等である。
【００２７】
そして、端末Ｍは、位置１９８ａにおいて孤立端末である端末Ｉと無線による通信を行い、端末Ｉから、端末Ｉに係る故障情報や故障に関連することが想定される故障情報等を取得する。
【００２８】
そして、端末Ｍは、位置１９８ｂにおいて、端末Ａと無線による通信を行い、上述の故障情報等を端末Ａに送る。
【００２９】
その後、端末Ａは、前記故障情報等をサーバＨに送付する。
【００３０】
こうして、サーバＨは、本来ＮＷ５０１に属すべき端末Ｉの故障情報等を取得する。
【００３１】
そして、サーバＨの利用者は、端末Ｉの故障情報等により、端末Ｉに対する処置を行うことができる。当該処置は、例えば、端末Ｉの修理や電池交換、又は、端末Ｉの補修の断念等である。
【００３２】
端末Ｍの移動ルートを矢印１９９ａに表すようにＮＷ５０１の範囲を通過するように設定した場合には、端末Ｍは、端末Ｉから取得した端末Ｉの故障情報等を確実にサーバＨに送付することができる。そのため、当該場合には、端末Ｉの故障情報等をサーバＨに送付できる確率を顕著に向上させることができる。
【００３３】
しかしながら、端末Ｉは、端末Ｉの故障情報を単に送出するだけでも、当該送出により、端末Ｉの故障情報をサーバＨに送付する場合があり得る端末Ｍが当該故障情報を取得する確率を向上させることができる。そのため、端末Ｉは、当該場合にも、端末Ｉの故障情報等をサーバＨに送付できる確率を向上させることがある程度はできる。そして、当該場合において、端末Ｍは、移動することで、取得した端末Ｉの故障情報等をサーバＨに送付できる確率を一層向上させることができる。
【００３４】
図２は、通信システム１５１ａが行う上述の動作を表すシーケンス図である。
【００３５】
まずＡ１０１の動作として、端末Ｉは、端末Ｉが取得した故障情報等を端末Ｍに送付する。
【００３６】
そして、Ａ１０２の動作として、端末Ｍは端末Ａに対して、Ａ１０１の動作により取得した前記故障情報等を端末Ａに送付する。
【００３７】
そして、Ａ１０３の動作として、端末Ａは、Ａ１０２の動作により取得した前記故障情報等をサーバＨに送付する。
【００３８】
なお、図２は、端末Ｉの故障情報等を、端末Ｍが端末Ａを介してサーバＨに送付する例である。
【００３９】
しかしながら、端末Ｍは、端末Ｂとの間で通信が可能であれば、当該故障情報等を端末Ｂに送付し、端末Ｂが、当該故障情報等を端末Ａ、端末Ｃ、又は、端末Ａ及びＣの双方、を経由してサーバＨに送付してもよい。
【００４０】
また、端末Ｍは、端末Ｃとの間で通信が可能であれば、当該故障情報等を端末Ｃに送付し、端末Ｃが、当該故障情報等を端末Ａ、又は、端末Ｂ及びＡの双方、を経由してサーバＨに送付してもよい。
【００４１】
さらには、端末Ｍは、サーバＨとの間で通信が可能であれば、当該故障情報等をサーバＨに対し、直接送付してもよい。
【００４２】
図３は、図１に表す端末Ａ乃至Ｃ、Ｉ、及びＭの例である端末１１０の構成を表す概念図である。
【００４３】
端末１１０は、通信部１０１と、通信処理部１０２と、孤立監視部１０３と、故障監視部１０４と、計測部１０５と、記録部１０６とを備える。
【００４４】
通信部１０１は、通信処理部１０２からの指示により、他の端末や図１に表すサーバＨとの間で無線による通信を行う。
【００４５】
通信処理部１０２は、通信部１０１が行う通信に係る制御や、通信部１０１による受信情報に係る処理及び通信部１０１が送信する送信情報の生成等を行う。当該送信データの生成には、孤立監視部１０３、故障監視部１０４及び計測部１０５が取得又は生成し、記録部１０６に記録した情報に基づく送信データの生成が含まれる。通信処理部１０２は、それらの情報を記録部１０６から読み込むことにより、当該送信情報を生成する。
【００４６】
通信処理部１０２は、さらに、通信部１０１に行わせる送受信処理に係る情報を取得し、ログ情報として、記録部１０６に記録させる。当該ログ情報は、例えば、送受信に係る処理の成否、送受信に係る情報の情報量、受信の際の無線電波強度に関する情報等である。
【００４７】
孤立監視部１０３は、所定の場合に、端末１１０が孤立端末であるかについての判定を行う。孤立監視部１０３は、当該判定を、例えば、次のように行う。
【００４８】
孤立監視部１０３は、まず、記録部１０６から、直近の所定の時間内の前記ログ情報を取得する。そして、端末１１０が孤立端末であることを表すことが想定された所定のキーワードにより、取得したログ情報のパターンマッチングを行う。当該キーワードは、端末１１０の製造元やユーザ等において、端末１１０が孤立端末である場合にログ情報に含まれることが想定されたものである。端末１１０の製造元やユーザ等は、当該キーワードに合わせてログ情報の表現を設定しても構わない。
【００４９】
端末１１０が孤立端末である場合には、情報の送信を試みても当該情報が他の端末やサーバに受信されないことや、他の端末やサーバからの情報の受信が長時間行われていないなどの特徴が、取得したログ情報に現れる。孤立監視部１０３は、それらの特徴をログ情報から見出すことにより、端末１１０が孤立端末であるか否かを判定することができる。
【００５０】
孤立監視部１０３は、端末１１０が孤立端末であるかについての判定を行った場合は、当該判定結果を記録部１０６に記録させる。
【００５１】
なお、孤立監視部１０３がどのような場合に端末１１０が孤立端末であるかについての判定を行うかの例は、［処理フロー］の項において後述する。
【００５２】
故障監視部１０４は、あるタイミングごとに、端末１１０に故障が発生しているかについての判定を行う。当該タイミングは、一定間隔ごとでも、可変の間隔ごとでも構わない。故障監視部１０４は、当該判定を、例えば、次のように行う。
【００５３】
故障監視部１０４は、まず、記録部１０６から、直近の所定の時間内の前記ログ情報を取得する。そして、端末１１０に故障が発生していることを表すことが想定された所定のキーワードにより、取得したログ情報のパターンマッチングを行う。当該キーワードは、端末１１０の製造元やユーザ等において、端末１１０に故障が発生している場合にログ情報に含まれることが想定されたものである。端末１１０の製造元やユーザ等は、当該キーワードに合わせてログ情報の表現を設定しても構わない。
【００５４】
端末１１０に故障が発生している場合には、例えば、受信電波強度が十分に大きいのに情報の受信ができないなどの特徴が、取得したログ情報に現れる。故障監視部１０４は、それらの特徴をログ情報から見出すことにより、端末１１０に故障が発生しているか否かを判定することができる。
【００５５】
故障監視部１０４は、端末１１０に故障が発生しているか否かの判定を行った場合は、当該判定結果を記録部１０６に記録させる。故障監視部１０４は、さらに、当該判定結果が端末１１０に故障が発生しているという内容の場合は、例えば故障の種類を表す情報等の、故障に関する情報を記録部１０６に記録させる。
【００５６】
計測部１０５は、端末１１０に割り当てられた計測動作の結果得られた情報を取得し、記録部１０６に記録させる。当該情報は、端末１１０が電力メータの場合は、例えば使用電力量や発電量が含まれる。また、端末１１０が環境計測機器である場合には、前記データには、例えば、気温、気圧、湿度、公害物質の量等である。
【００５７】
なお、端末１１０は、孤立監視部１０３、故障監視部１０４及び計測部１０５のうちの二つ以下を備えない場合も想定され得る。
［処理フロー］
図４は、図１に表す端末Ａ乃至Ｃ及びＩの各々が行う処理の処理フロー例を表す概念図である。図４の説明において、端末Ａ乃至Ｃ及びＩの各々を「端末Ｖ」ということにする。また、図４の説明において、「対象端末」は、端末Ｍをいうこととする。
【００５８】
図４に表す処理は次の事項を前提とする。
【００５９】
まず、端末Ｖはタイマー機能を備える。端末Ｖが図３に表す端末１１０である場合は、例えば、通信処理部１０２が当該タイマー機能を備える。
【００６０】
また、端末Ｖは通信に係るログ情報の記録を逐次行っている。端末Ｖが端末１１０である場合は、通信処理部１０２が当該ログ情報の取得を逐次行い、記録部１０６に記録させる。
【００６１】
また、端末Ｖは故障情報の記録を逐次行っている。端末Ｖが端末１１０である場合は、故障監視部１０４が故障情報の取得を逐次行い、記録部１０６に記録させる。
【００６２】
さらに、端末Ｖは、前述の計測データを逐次取得し、記録している。端末Ｖが端末１１０である場合は、計測部１０５が、計測データを逐次取得し、記録部１０６に記録させる。
【００６３】
図４に表す処理の前提は以上である。次に、図４に表す処理について説明する。
【００６４】
まず、端末Ｖは、Ｓ２０１の処理として、時刻ｔをゼロに設定し、時刻ｔ＝０からの経過時間の測定を開始する。端末Ｖが図３に表す端末１１０である場合は、Ｓ２０１の処理を、通信処理部１０２が行う。
【００６５】
次に、端末Ｖは、Ｓ２０２の処理として、経過時間が、予め定められた所定の時間を超えたかについての判定を行う。端末Ｖが端末１１０である場合は、Ｓ２０２の処理を、通信処理部１０２が行う。
【００６６】
そして、端末Ｖは、Ｓ２０３の処理として、所定の期間の故障情報等をＮＷ５０１に属する端末やサーバに向けて送信する。故障情報がない場合は、故障情報等は計測データである。端末Ｖが端末１１０である場合は、Ｓ２０３の処理は、記録部１０６に記録された情報を用いて、通信部１０１及び通信処理部１０２が行う。
【００６７】
そして、端末Ｖは、Ｓ２０４の処理として、Ｓ２０３の処理により送信した故障情報等がＮＷ５０１に属するいずれかの端末及びサーバにより受信されたかについての判定を行う。端末Ｖは、当該判定を、例えば、Ｓ２０３の処理による故障情報等の受信についての確認応答がＮＷ５０１に属する端末やサーバのいずれかからあったかを判定することにより行う。端末Ｖが端末１１０である場合は、Ｓ２０４の処理は、通信部１０１及び通信処理部１０２が行う。
【００６８】
端末Ｖは、Ｓ２０４の処理による判定結果がｙｅｓの場合は、図４に表すＳ２１２の処理を行う。
【００６９】
一方、端末Ｖは、Ｓ２０４の処理による判定結果がｎｏの場合は、Ｓ２０５の処理を行う。
【００７０】
端末Ｖは、Ｓ２０５の処理を行う場合は、Ｓ２０５の処理として、端末Ｖが孤立端末であるかについての判定を行う。端末Ｖが端末１１０である場合は、Ｓ２０５の処理を、孤立監視部１０３が行う。
【００７１】
端末Ｖは、Ｓ２０５の処理による判定結果がｙｅｓの場合は、Ｓ２０５−２の処理を行う。
【００７２】
一方、端末Ｖは、Ｓ２０５の処理による判定結果がｎｏの場合は、Ｓ２１２の処理を行う。
【００７３】
端末Ｖは、Ｓ２０５−２の処理を行う場合は、同処理として、対象端末等（対象とする端末又はサーバ）との接続準備処理を行う。接続準備処理は、対象端末等との接続のために対象端末等を無線により探す処理である。Ｓ２０５−２の処理の例は、図５及び図６を参照して後述する。
【００７４】
そして、端末Ｖは、Ｓ２１０の処理として、対象端末等との接続処理を行う。端末Ｖが端末１１０である場合は、Ｓ２１０の処理を、通信部１０１及び通信処理部１０２が行う。
【００７５】
そして、端末Ｖは、Ｓ２１１の処理として、対象端末等に宛てて、所定の期間における故障情報等を送付する。端末Ｖが端末１１０である場合は、当該故障情報等は、記録部１０６が保持する情報に基づき、通信処理部１０２が作成したものである。作成後の故障情報等の対象端末等への送付を、通信部１０１及び通信処理部１０２が行う。
【００７６】
なお、端末Ｖは、対象端末等への当該故障情報の送付についての対象端末等における受信が確認された場合等において、当該故障情報等やその関連情報の削除を行っても構わない。端末Ｖが端末１１０である場合は、当該削除は、通信処理部１０２が記録部１０６に行わせる。
【００７７】
そして、端末Ｖは、Ｓ２１２の処理を行う。
【００７８】
端末Ｖは、Ｓ２１２の処理を行う場合は、同処理として、図４に表す処理を終了するかについての判定を行う。端末Ｖは、当該判定を、例えば、外部からの終了情報の入力の有無を判定することにより行う。端末Ｖが端末１１０である場合は、Ｓ２１２の処理は、例えば、通信処理部１０２が行う。
【００７９】
端末Ｖは、Ｓ２１２の処理による判定結果がｙｅｓの場合は、図４に表す処理を終了する。
【００８０】
一方、端末Ｖは、Ｓ２１２の処理による判定結果がｎｏの場合は、Ｓ２０１の処理を再度行う。
【００８１】
図４に表す処理フローにおいて端末Ｖが図１に表す端末Ａ乃至Ｃの場合には、Ｓ２０４の処理による判定結果がｙｅｓになるか、Ｓ２０５の処理による判定結果がｎｏになることが想定される。従い、その場合、Ｓ２０５−２乃至Ｓ２１１の処理は行われないことが想定される。
【００８２】
一方、端末Ｖが図１に表す端末Ｉの場合には、Ｓ２０４の処理による判定結果がｎｏになり、Ｓ２０５の処理による判定結果がｙｅｓになることが想定される。従い、その場合、Ｓ２０５−２乃至Ｓ２１１の処理が行われることが想定される。
【００８３】
図５は、図４に表すＳ２０５−２の処理の第一の処理フロー例を表す図である。なお、図５の説明において記述される「対象端末等」は端末Ｍである。
【００８４】
図４に表すＳ２０５のｙｅｓの次に、端末Ｖは、Ｓ２０６の処理として、ビーコンを無線空間に向けて送信する。当該ビーコンには、端末Ｖが属する又は属すべきＮＷの識別情報、及び端末Ｖの識別情報が含まれる。ＮＷの識別情報は、例えば、ＳＳＩＤである。ここで、ＳＳＩＤはＳｅｒｖｉｃｅ  Ｓｅｔ  Ｉｄｅｎｔｉｆｉｅｒの略である。ＳＳＩＤについては、ＩＥＥＥ  ８０２．１１標準に定められている。また、端末Ｖの識別情報は、例えば、端末ＶのＢＳＳＩＤである。ここで、ＢＳＳＩＤは、Ｂａｓｉｃ  Ｓｅｒｖｉｃｅ  Ｓｅｔ  Ｉｄｅｎｔｉｆｉｅｒの略である。ＢＳＳＩＤについては、ＩＥＥＥ  ８０２．１１標準に定められている。端末Ｖが端末１１０である場合は、Ｓ２０６の処理を、通信部１０１及び通信処理部１０２が行う。
【００８５】
そして、端末Ｖは、Ｓ２０７の処理として、いずれかの端末等（端末、サーバ等の接続要求の送付元）から接続要求を受信したかについての判定を行う。端末Ｖが端末１１０である場合は、Ｓ２０７の処理を、通信部１０１及び通信処理部１０２が行う。
【００８６】
端末Ｖは、Ｓ２０７の処理による判定結果がｙｅｓの場合は、Ｓ２０７−２の処理を行う。
【００８７】
一方、端末Ｖは、Ｓ２０７の処理による判定結果がｎｏの場合は、Ｓ２０８の処理を行う。
【００８８】
端末Ｖは、Ｓ２０７−２の処理を行う場合は、同処理として、受信したことを判定した接続要求が対象端末等からの要求かについての判定を行う。端末Ｖは、当該判定を、例えば、接続要求の送付元の識別情報が対象端末等のものであるかを判定することにより行う。当該識別情報は、例えば、対象端末等のＢＳＳＩＤである。ここで、端末Ｖは、対象端末等の識別情報（ＢＳＳＩＤ）を予め保持しているものとする。端末Ｖが端末１１０である場合は、Ｓ２０７−２の処理を、通信部１０１及び通信処理部１０２が行う。そして、対象端末等の識別情報（ＢＳＳＩＤ）は、記録部１０６が予め保持している。
【００８９】
端末Ｖは、Ｓ２０７−２の処理による判定結果がｙｅｓの場合は、図４に表すＳ２１０の処理を行う。
【００９０】
一方、端末Ｖは、Ｓ２０７−２の処理による判定結果がｎｏの場合は、前述のＳ２０６の処理を再度行う。
【００９１】
端末Ｖは、Ｓ２０８の処理を行う場合は、同処理として、いずれかの端末等からビーコンを受信したかについての判定を行う。端末Ｖが端末１１０である場合は、Ｓ２０８の処理を、通信部１０１及び通信処理部１０２が行う。
【００９２】
端末Ｖは、Ｓ２０８の処理による判定結果がｙｅｓの場合はＳ２０８−２の処理を行う。
【００９３】
一方、端末Ｖは、Ｓ２０８の処理による判定結果がｎｏの場合は、前述のＳ２０６の処理を再度行う。
【００９４】
端末Ｖは、Ｓ２０８−２の処理を行う場合は、同処理として、Ｓ２０８の処理により受信したことを判定したビーコンが対象端末等からのものかについての判定を行う。当該ビーコンには、対象端末等の識別情報が含まれる。対象端末等の識別情報は、例えば、対象端末等のＢＳＳＩＤである。
端末Ｖは、当該判定を、例えば、当該ビーコンの送付元の識別情報が対象端末等のものであるかを判定することにより行う。当該識別情報は、例えば、対象端末等のＢＳＳＩＤである。端末Ｖが端末１１０である場合は、Ｓ２０８−２の処理を、通信部１０１及び通信処理部１０２が行う。そして、対象端末等の識別情報（ＢＳＳＩＤ）は、記録部１０６が予め保持している。
【００９５】
端末Ｖは、Ｓ２０８−２の処理による判定結果がｙｅｓの場合は、Ｓ２０９の処理を行う。
【００９６】
一方、端末Ｖは、Ｓ２０８−２の処理による判定結果がｎｏの場合は、前述のＳ２０６の処理を再度行う。
【００９７】
端末Ｖは、Ｓ２０９の処理を行う場合は、同処理として、対象端末等に接続要求を送付する。当該接続要求には、端末Ｖが属する又は属すべきＮＷの識別情報、及び端末Ｖの識別情報が含まれる。ＮＷの識別情報は、例えば、ＳＳＩＤである。また、端末Ｖの識別情報は、例えば、端末ＶのＢＳＳＩＤである。
【００９８】
端末Ｖが端末１１０である場合は、Ｓ２０９の処理を、通信部１０１及び通信処理部１０２が行う。
【００９９】
図６は、図４に表すＳ２０５−２の処理の第二の処理フロー例を表す図である。図６の説明において記述される「対象端末等」は端末Ｍである。
【０１００】
図４に表すＳ２０５のｙｅｓの次に、端末Ｖは、Ｓ２０８の処理として、いずれかの端末等からビーコンを受信したかについての判定を行う。端末Ｖが端末１１０である場合は、Ｓ２０８の処理を、通信部１０１及び通信処理部１０２が行う。
【０１０１】
端末Ｖは、Ｓ２０８の処理による判定結果がｙｅｓの場合はＳ２０８−２の処理を行う。
【０１０２】
一方、端末Ｖは、Ｓ２０８の処理による判定結果がｎｏの場合は、Ｓ２０６の処理を行う。
【０１０３】
端末Ｖは、Ｓ２０８−２の処理を行う場合は、同処理として、Ｓ２０８の処理により受信したことを判定したビーコンが対象端末等からのものかについての判定を行う。当該ビーコンには、対象端末等の識別情報が含まれる。対象端末等の識別情報は、例えば、対象端末等のＢＳＳＩＤである。
端末Ｖは、当該判定を、例えば、当該ビーコンの送付元の識別情報が対象端末等のものであるかを判定することにより行う。当該識別情報は、例えば、対象端末等のＢＳＳＩＤである。端末Ｖが端末１１０である場合は、Ｓ２０８−２の処理を、通信部１０１及び通信処理部１０２が行う。そして、対象端末等の識別情報（ＢＳＳＩＤ）を、記録部１０６が予め保持している。
【０１０４】
端末Ｖは、Ｓ２０８−２の処理による判定結果がｙｅｓの場合は、Ｓ２０９の処理を行う。
【０１０５】
一方、端末Ｖは、Ｓ２０８−２の処理による判定結果がｎｏの場合は、前述のＳ２０８の処理を再度行う。
【０１０６】
端末Ｖは、Ｓ２０９の処理を行う場合は、同処理として、対象端末等に接続要求を送付する。当該接続要求には、端末Ｖが属する又は属すべきＮＷの識別情報、及び端末Ｖの識別情報が含まれる。ＮＷの識別情報は、例えば、ＳＳＩＤである。また、端末Ｖの識別情報は、例えば、端末ＶのＢＳＳＩＤである。
【０１０７】
端末Ｖが端末１１０である場合は、Ｓ２０９の処理を、通信部１０１及び通信処理部１０２が行う。
【０１０８】
端末Ｖは、Ｓ２０６の処理を行う場合は、同処理として、ビーコンを無線空間に向けて送信する。当該ビーコンには、端末Ｖが属する又は属すべきＮＷの識別情報、及び端末Ｖの識別情報が含まれる。ＮＷの識別情報は、例えば、前述のＳＳＩＤである。また、端末Ｖの識別情報は、例えば、端末Ｖの前述のＢＳＳＩＤである。端末Ｖが端末１１０である場合は、Ｓ２０６の処理を、通信部１０１及び通信処理部１０２が行う。
【０１０９】
そして、端末Ｖは、Ｓ２０７の処理として、いずれかの端末等から接続要求を受信したかについての判定を行う。端末Ｖが端末１１０である場合は、Ｓ２０７の処理を、通信部１０１及び通信処理部１０２が行う。
【０１１０】
端末Ｖは、Ｓ２０７の処理による判定結果がｙｅｓの場合は、Ｓ２０７−２の処理を行う。
【０１１１】
一方、端末Ｖは、Ｓ２０７の処理による判定結果がｎｏの場合は、前述のＳ２０８の処理を再度行う。
【０１１２】
端末Ｖは、Ｓ２０７−２の処理を行う場合は、同処理として、受信した接続要求が対象端末等からの要求かについての判定を行う。端末Ｖは、当該判定を、例えば、接続要求の送付元の識別情報が対象端末等のものであるかを判定することにより行う。当該識別情報は、例えば、対象端末等のＢＳＳＩＤである。ここで、端末Ｖは、対象端末等の識別情報（ＢＳＳＩＤ）を予め保持しているものとする。端末Ｖが端末１１０である場合は、Ｓ２０７−２の処理を、通信部１０１及び通信処理部１０２が行う。そして、対象端末等の識別情報（ＢＳＳＩＤ）は、記録部１０６が予め保持している。
【０１１３】
端末Ｖは、Ｓ２０７−２の処理による判定結果がｙｅｓの場合は、図４に表すＳ２１０の処理を行う。
【０１１４】
一方、端末Ｖは、Ｓ２０７−２の処理による判定結果がｎｏの場合は、前述のＳ２０８の処理を再度行う。
【０１１５】
図７は、図１に表す端末Ｍが行う故障情報等の受信に係る処理の処理フロー例を表す概念図である。
【０１１６】
図７の説明において、「対象端末等」と記述されたものは、端末Ａ乃至Ｃ及びＩのいずれかであることとする。
【０１１７】
端末Ｍは、まず、Ｓ３０１−２の処理として、対象端末等との接続準備処理を行う。対象端末等との接続準備処理は、対象端末等との接続のために対象端末等を無線により探す処理である。
【０１１８】
Ｓ３０１−２の処理の詳細例は、前述の図５及び図６に表す処理フローと同じである。ただし、「図４に表すＳ２０５のｙｅｓ」は「図７のスタート」と、「図４に表すＳ２１０」は、「図７のＳ３０７」と、それぞれ、読み替える。また、図５及び図６の説明中における「端末Ｖ」は「端末Ｍ」と読み替える。また、「対象端末等」は端末Ｍではなく、端末Ａ乃至Ｃ及びＩのいずれかである。
【０１１９】
そして、端末Ｍは、Ｓ３０７の処理として、Ｓ３０１−２の処理により対象端末等であることを判定した端末との間で接続処理を行う。端末Ｍが端末１１０である場合は、Ｓ３０７の処理を、通信部１０１及び通信処理部１０２が行う。
【０１２０】
そして、端末Ｍは、Ｓ３０８の処理として、所定時間内に、Ｓ３０７の処理により接続処理を行った端末から当該端末の故障情報等が届いたかについての判定を行う。当該所定の時間は、接続処理を行った端末が孤立端末である場合に、当該端末が故障情報等を送ることが想定された時間である。端末Ｍが端末１１０である場合は、Ｓ３０８の処理を、通信部１０１及び通信処理部１０２が行う。
【０１２１】
端末Ｍは、Ｓ３０８の処理による判定結果がｙｅｓの場合は、Ｓ３０９の処理を行う。
【０１２２】
一方、端末Ｍは、Ｓ３０８の処理による判定結果がｎｏの場合は、Ｓ３１０の処理を行う。所定の時間内に故障情報等が送られない場合は、Ｓ３０７の処理により接続された端末は孤立端末ではないことが想定される。判定結果がｎｏの場合にＳ３１０の処理を行うのは、接続された端末は孤立端末ではないことが想定される場合に、前記所定の時間を超えて故障情報が届くのを待たない趣旨である。
【０１２３】
端末Ｍは、Ｓ３０９の処理を行う場合は、同処理として、Ｓ３０８の処理により届いたことを判定した故障情報等の受信処理を行う。当該受信処理には、受信した故障情報等と当該故障情報を送付した端末の識別情報とを組み合わせた情報の記録が含まれる。当該識別情報は、例えば、当該故障情報を送付した端末についてのＳＳＩＤとＢＳＳＩＤである。
【０１２４】
端末Ｍが端末１１０である場合は、Ｓ３０９の処理を、通信部１０１及び通信処理部１０２が行う。また、受信した情報の記録を、通信処理部１０２の指示により記録部１０６が行う。
【０１２５】
そして、端末Ｍは、Ｓ３１０の処理を行う。
【０１２６】
端末Ｍは、Ｓ３１０の処理を行う場合は、同処理として、図７に表す処理を終了するかについての判定を行う。端末Ｍは、当該判定を、例えば、外部からの終了情報の入力の有無を判定することにより行う。端末Ｍが端末１１０である場合は、Ｓ３１０の処理を、例えば、通信処理部１０２が行う。
【０１２７】
端末Ｍは、Ｓ３１０の処理による判定結果がｙｅｓの場合は、図７に表す処理を終了する。
【０１２８】
一方、端末Ｍは、Ｓ３１０の処理による判定結果がｎｏの場合は、Ｓ３０１の処理を再度行う。
【０１２９】
図８は、図１に表す端末Ｍが行う、故障情報等のＮＷ５０１に属する端末への転送処理の処理フロー例を表す概念図である。図８の説明において、「対象端末等」は、端末Ａ乃至Ｃ及びサーバＨのいずれかである。
【０１３０】
端末Ｍは、まず、Ｓ４０１の処理として、孤立端末の故障情報等を受信したかについての判定を行う。端末Ｍが端末１１０である場合は、Ｓ４０１の処理を、通信処理部１０２が行う。通信処理部１０２は、当該判定を、例えば、記録部１０６への当該故障情報等の記録の有無を判定することにより行う。
【０１３１】
端末Ｍは、Ｓ４０１の処理による判定結果がｙｅｓの場合は、Ｓ４０１−２の処理を行う。
【０１３２】
一方、端末Ｍは、Ｓ４０１の処理による判定結果がｎｏの場合は、Ｓ４０１の処理を再度行う。
端末Ｍは、Ｓ４０１−２の処理を行う場合は、同処理として、対象端末等との接続準備処理を行う。接続準備処理は、対象端末等との接続のために対象端末等を無線により探す処理である。
【０１３３】
Ｓ４０１−２の処理の詳細例は、前述の図５及び図６に表す処理フローと同じである。ただし、図５及び図６に表す「図４に表すＳ２０５のｙｅｓ」は「図８のＳ４０１のｙｅｓ」と、「図４に表すＳ２１０」は「図８のＳ４０８」と、それぞれ、読み替える。また、図５及び図６の説明中における「端末Ｖ」は「端末Ｍ」と読み替える。また、「対象端末等」は端末Ｍではなく、端末Ａ乃至Ｃ及びサーバＨのいずれかである。
【０１３４】
以上説明したように、通信システム１５１ａにおいては、端末Ｍは孤立端末を通信により探し、孤立端末を見つけた場合には当該孤立端末からの故障情報を取得する。一方、ＮＷ５０１に属することが想定されたある端末は、当該端末（端末Ｉ）がその端末が孤立端末であることを判定すると、端末Ｍへの端末Ｉの故障情報等の送付を試行する。そのため、通信システム１５１ａは、孤立端末からその孤立端末についての故障情報等を通信システム１５１ａの利用者等が取得できる確率を向上させることができる。孤立端末の故障情報等を取得した場合には、取得した利用者等は、当該孤立端末についての修理等の措置を行うことが可能になる。すなわち、通信システム１５１ａは、利用者等が、孤立端末について何らかの措置を行うことができる可能性を向上する。
［効果］
本実施形態の通信システムにおいては、孤立端末を捜索する捜索端末は、移動しながら孤立端末を通信により捜索し、孤立端末を見つけた場合には当該孤立端末からの故障情報を取得する。一方、前記通信システムに属することが想定されたある端末は、当該端末がその端末が孤立端末であることを判定すると、前記捜索端末への当該端末の故障情報等の送付を試行する。そのため、前記通信システムは、孤立端末からその孤立端末についての故障情報等を前記通信システムの利用者等が取得できる確率を向上させることができる。孤立端末の故障情報等を取得した場合には、取得した利用者等は、当該孤立端末についての修理等の措置を行うことが可能になる。すなわち、前記通信システムは、利用者等が、孤立端末について何らかの措置を行うことができる可能性を向上する。
＜第二実施形態＞
第二実施形態は、複数の孤立端末が存在し、当該孤立端末のそれぞれが、異なるＮＷに属すべきものである場合についての実施形態である。
［構成と動作］
図９は、第二実施形態の通信システムの例である通信システム１５１ｂの構成と動作例を表す概念図である。
【０１３５】
通信システム１５１ｂは、ＮＷ５０１乃至５０３と、端末Ｉ乃至Ｌと、端末Ｍとを備える。
【０１３６】
ＮＷ５０１は、端末Ａ乃至Ｃと、サーバＨとを備える。ＮＷ５０２は、端末Ｘ乃至Ｚと、サーバＳとを備える。ＮＷ５０３は、端末Ｄ乃至Ｆと、サーバＴとを備える。
【０１３７】
サーバＨは、ＮＷ５０１を管理する管理サーバである。サーバＳは、ＮＷ５０２を管理する管理サーバである。サーバＴは、ＮＷ５０３を管理する管理サーバである。
【０１３８】
端末Ａ乃至Ｃは、サーバＨの管理下において無線による通信を行う通信端末である。端末Ｘ乃至Ｚは、サーバＳの管理下において無線による通信を行う通信端末である。端末Ｄ乃至Ｆは、サーバＴの管理下において無線による通信を行う通信端末である。
【０１３９】
端末Ｉは、本来は、ＮＷ５０１に属することが想定されている孤立端末である。端末Ｊは、本来は、ＮＷ５０２に属することが想定されている孤立端末である。端末Ｋ及びＬは、本来は、ＮＷ５０３に属することが想定されている孤立端末である。
【０１４０】
端末Ｍは、移動しながら孤立端末を通信により探し、見つけた孤立端末の故障情報等の取得を試みる捜索端末である。
【０１４１】
端末Ａ乃至Ｃ、Ｘ乃至Ｚ、Ｄ乃至Ｆ、Ｉ乃至Ｌ及びＭの構成例は、図３に表す端末１１０である。
【０１４２】
端末Ｍは、例えば、矢印１９９ｂに沿って移動する。当該移動は、端末Ｍが備える図示しない移動手段によって行ってもよいし、外部の移動手段により行われてもよい。当該移動が外部により行われる場合の当該外部は、例えば、人や車等である。
【０１４３】
そして、端末Ｍは、位置１９８Ａにおいて端末Ｋと無線による通信を行い、端末Ｋから、端末Ｋに係る故障情報等、端末Ｋが属すべきＮＷの識別情報及び端末Ｋの識別情報を取得する。端末Ｍは、また、位置１９８Ｂにおいて端末Ｌと無線による通信を行い、端末Ｌから、端末Ｌに係る故障情報等、端末Ｌが属すべきＮＷの識別情報及び端末Ｌの識別情報を取得する。
【０１４４】
その後、端末Ｍは、位置１９８Ｃにおいて、端末Ｄと無線による通信を行い、端末Ｋ及びＬに係る、故障情報等、属すべきＮＷの識別情報及び端末の識別情報を、端末Ｄに送る。
【０１４５】
その後、端末Ｄは、前記故障情報等をサーバＴに送付する。
【０１４６】
こうして、サーバＴは、本来ＮＷ５０３に属すべき端末Ｋ及びＬの故障情報等を取得する。
【０１４７】
その後、端末Ｍは、位置１９８Ｄにおいて端末Ｊと無線による通信を行い、端末Ｊから、端末Ｊに係る故障情報等、端末Ｊが属すべきＮＷの識別情報及び端末Ｊの識別情報を取得する。
【０１４８】
そして、端末Ｍは、位置１９８Ｅにおいて、端末Ｘと無線による通信を行い、端末Ｊに係る故障情報等、端末Ｊが属すべきＮＷの識別情報及び端末Ｊの識別情報を端末Ｘに送る。
【０１４９】
その後、端末Ｘは、前記故障情報等をサーバＳに送付する。
【０１５０】
こうして、サーバＳは、本来ＮＷ５０２に属すべき端末Ｊの故障情報等を取得する。
【０１５１】
その後、端末Ｍは、位置１９８Ｆにおいて端末Ｉと無線による通信を行い、端末Ｉから、端末Ｉに係る故障情報等、端末Ｉが属すべきＮＷの識別情報及び端末Ｉの識別情報を取得する。
【０１５２】
そして、端末Ｍは、位置１９８Ｇにおいて、端末Ａと無線による通信を行い、端末Ｉに係る故障情報等、端末Ｉが属すべきＮＷの識別情報及び端末Ｉの識別情報を端末Ａに送る。
【０１５３】
その後、端末Ａは、前記故障情報等、端末Ｉが属すべきＮＷの識別情報及び端末Ｉの識別情報をサーバＨに送付する。
【０１５４】
こうして、サーバＨは、本来ＮＷ５０１に属すべき端末Ｉの故障情報等を取得する。
【０１５５】
端末Ｍの移動ルートを矢印１９９ｂに表すようにＮＷ５０１乃至５０３の範囲を通過するように設定した場合には、端末Ｍは、各端末から取得した当該端末の故障情報等を確実に送付対象のサーバＨ、Ｓ、Ｔに送付することができる。しかしながら、各端末は、当該端末の故障情報を単に送出するだけでも、当該送出により、端末Ｍが当該故障情報を取得する確率を向上させることができる。そして、端末Ｍは、単に移動するだけでも、当該移動により、取得した故障情報等を送付対象のサーバに送付できる確率を向上させることができる。
【０１５６】
図１０は、端末Ｍが図９に表す矢印１９９ｂに沿って移動した結果、位置１９８Ｇに到達した時点までに各孤立端末から取得した情報の一覧例を表す図である。
【０１５７】
端末Ｍは、端末Ｋ、Ｌ、Ｊ及びＩの各々について、ＳＳＩＤ、ＢＳＳＩＤ及び故障情報の組合せを取得している。
【０１５８】
ただし、端末Ｍは位置１９８Ｇに到達した時点において図１０に表す情報のすべてを保持している必要はない。端末Ｍは、所定の端末に転送した情報については削除しても構わない。当該所定の端末は、図１０に表すＮｏ．１及び２の情報に関しては端末Ｄであり、Ｎｏ．３の情報に関しては端末Ｘであり、Ｎｏ．４の情報に関しては端末Ａである。
［処理フロー］
図９に表す端末Ａ乃至Ｃ、Ｘ乃至Ｚ、Ｄ乃至Ｆ及びＩ乃至Ｌの各々が行う処理の処理フロー例は、図４に表すものである。ただし、図４の説明における、端末Ａ乃至Ｃ及びＩは、端末Ａ乃至Ｃ、Ｘ乃至Ｚ、Ｄ乃至Ｆ及びＩ乃至Ｌと読み替える。
【０１５９】
図９に表す端末Ｍが行う故障情報等の受信に係る処理の処理フロー例は、図７に表すものと同じである。ただし、図７の説明におけるＮＷ１は、ＮＷ１乃至３のいずれかと、端末Ａ乃至Ｃ及びＩは、端末Ａ乃至Ｃ、Ｘ乃至Ｚ、Ｄ乃至Ｆ及びＩ乃至Ｌと、それぞれ、読み替える。
【０１６０】
図９に表す端末Ｍが行う故障情報等の転送処理の処理フロー例は図８に表すものである。
［効果］
第二実施形態の通信システムは、第一実施形態の通信システムと同様の構成を備え、第一実施形態の通信システムと同様の効果を奏する。
【０１６１】
それに加えて、第二実施形態の通信システムは、複数の孤立端末が存在し、当該孤立端末のそれぞれが、異なるＮＷに属すべきものである場合についても適用可能である。
＜第三実施形態＞
第三実施形態は、本発明の、Ｂｌｕｅｔｏｏｔｈ（登録商標）標準規格による通信を行う通信システムへの適用例である。
［構成及び動作］
第三実施形態の通信システムの例は、図１に表す通信システム１５１ａである。また、第三実施形態の通信システム１５１ａの動作は図２に表す通りである。また、図１に表す各端末の構成例は図３に表す端末１１０の構成である。
［処理フロー］
第三実施形態の図１に表す端末Ａ乃至Ｃ及びＩの各々（端末Ｖ）が行う処理の処理フロー例は、図４に表す処理である。そして、図４に表すＳ２０５−２の処理の詳細例は、図１１及び図１２のいずれかに表す処理である。
【０１６２】
まず、図１１に表す処理について説明する。
【０１６３】
端末Ｖは、図４に表すＳ２０５のｙｅｓの次に、Ｓ２０６の処理として、無線空間に向けてベアリング要求を送信する。ベアリング要求についてはＢｌｕｅｔｏｏｔｈ（登録商標）標準規格に記述されている。
【０１６４】
そして、端末Ｖは、Ｓ２０７の処理として、いずれかの端末からベアリング応答を受信したかについての判定を行う。ベアリング応答についてはＢｌｕｅｔｏｏｔｈ（登録商標）標準規格に記述されている。
【０１６５】
端末Ｖは、Ｓ２０７の処理による判定結果がｙｅｓの場合は、Ｓ２０７−２の処理を行う。
【０１６６】
一方、端末Ｖは、Ｓ２０７の処理による判定結果がｎｏの場合は、Ｓ２０８の処理を行う。
【０１６７】
端末Ｖは、Ｓ２０７−２の処理を行う場合は、同処理として、Ｓ２０７の処理により受信したことを判定したベアリング応答が端末Ｍからのものであるかについての判定を行う。
【０１６８】
端末Ｖは、Ｓ２０７−２の処理による判定結果がｙｅｓの場合は、図４に表すＳ２１０の処理を行う。
【０１６９】
一方、端末Ｖは、Ｓ２０７−２の処理による判定結果がｎｏの場合は、Ｓ２０６の処理を再度行う。
【０１７０】
端末Ｖは、Ｓ２０８の処理を行う場合は、同処理として、いずれかの端末からベアリング要求を受信したかについての判定を行う。
【０１７１】
端末Ｖは、Ｓ２０８の処理による判定結果がｙｅｓの場合は、Ｓ２０８−２の処理を行う。
【０１７２】
一方、端末Ｖは、Ｓ２０８の処理による判定結果がｎｏの場合は、Ｓ２０６の処理を再度行う。
【０１７３】
端末Ｖは、Ｓ２０８−２の処理を行う場合は、同処理として、Ｓ２０８の処理により受信したことを判定したベアリング要求が端末Ｍからのものかについての判定を行う。
【０１７４】
端末Ｖは、Ｓ２０８−２の処理による判定結果がｙｅｓの場合は、Ｓ２０９の処理を行う。
【０１７５】
一方、端末Ｖは、Ｓ２０８ｂの処理による判定結果がｎｏの場合は、Ｓ２０６の処理を再度行う。
【０１７６】
端末Ｖは、Ｓ２０９の処理を行う場合は、同処理として端末Ｍにベアリング応答を行う。
【０１７７】
そして、端末Ｖは、図４に表すＳ２１０の処理を行う。
【０１７８】
次に、図１２に表す処理について説明する。
【０１７９】
端末Ｖは、図４に表すＳ２０５のｙｅｓの次に、Ｓ２０８の処理として、いずれかの端末からベアリング要求を受信したかについての判定を行う。
【０１８０】
端末Ｖは、Ｓ２０８の処理による判定結果がｙｅｓの場合は、Ｓ２０８−２の処理を行う。
【０１８１】
一方、端末Ｖは、Ｓ２０８の処理による判定結果がｎｏの場合は、Ｓ２０６の処理を行う。
【０１８２】
端末Ｖは、Ｓ２０８−２の処理を行う場合は、同処理として、Ｓ２０８の処理により受信したことを判定したベアリング要求が端末Ｍからのものかについての判定を行う。
【０１８３】
端末Ｖは、Ｓ２０８−２の処理による判定結果がｙｅｓの場合は、Ｓ２０９の処理を行う。
【０１８４】
一方、端末Ｖは、Ｓ２０８−２の処理による判定結果がｎｏの場合は、Ｓ２０８の処理を再度行う。
【０１８５】
端末Ｖは、Ｓ２０９の処理を行う場合は、同処理として端末Ｍにベアリング応答を行う。
【０１８６】
そして端末Ｖは、図４に表すＳ２１０の処理を行う。
【０１８７】
端末Ｖは、Ｓ２０６の処理を行う場合は、同処理として、無線空間に向けてベアリング要求を送信する。
【０１８８】
そして、端末Ｖは、Ｓ２０７の処理として、いずれかの端末からベアリング応答を受信したかについての判定を行う。
【０１８９】
端末Ｖは、Ｓ２０７の処理による判定結果がｙｅｓの場合は、Ｓ２０７−２の処理を行う。
【０１９０】
一方、端末Ｖは、Ｓ２０７の処理による判定結果がｎｏの場合は、Ｓ２０８の処理を再度行う。
【０１９１】
端末Ｖは、Ｓ２０７−２の処理を行う場合は、同処理として、Ｓ２０７の処理により受信したことを判定したベアリング応答が対象端末等からのものであるかについての判定を行う。
【０１９２】
端末Ｖは、Ｓ２０７−２の処理による判定結果がｙｅｓの場合は、図４に表すＳ２１０の処理を行う。
【０１９３】
一方、端末Ｖは、Ｓ２０７−２の処理による判定結果がｎｏの場合は、Ｓ２０８の処理を再度行う。
【０１９４】
第三実施形態の図１に表す端末Ｍが行う故障情報等の受信に係る処理の処理フロー例は、図７に表す処理と同じである。そして、Ｓ３０１−２の処理の詳細例は、前述の図１１及び図１２に表す処理フローである。ただし、「図４に表すＳ２０５のｙｅｓ」は「図７のスタート」と、「図４に表すＳ２１０」は「図７のＳ３０７」と、それぞれ、読み替える。また、図７、図１１及び図１２の説明中における「端末Ｖ」は「端末Ｍ」と読み替える。また、「対象端末等」は端末Ｍではなく、端末Ａ乃至Ｃ及びＩのいずれかである。
【０１９５】
第三実施形態の端末Ｍが行う故障情報等のＮＷ５０１に属する端末への転送処理の処理フロー例は、図８に表す処理と同じである。そして、図８に表すＳ４０１−２の処理の詳細例は、前述の図５及び図６に表す処理フローと同じである。ただし、「図４に表すＳ２０５のｙｅｓ」は「図８のＳ４０１のｙｅｓ」と、「図４に表すＳ２１０」は「図８のＳ４０８」と、それぞれ、読み替える。また、図５及び図６及び図８の説明中における「端末Ｖ」は「端末Ｍ」と読み替える。また、「対象端末等」は端末Ｍではなく、端末Ａ乃至Ｃ及びサーバＨのいずれかである。
［効果］
第三実施形態の通信システムは、Ｂｌｕｅｔｏｏｔｈ（登録商標）標準規格に準拠する端末を備える場合において、第一実施形態の通信システムと同様の効果を奏する。
【０１９６】
以上において、各端末は他の端末や管理装置との間で電波による無線による通信を行う場合を例に説明した。しかしながら、本発明の端末は、光等の、電波以外の電磁波により通信を行う端末であっても構わない。さらに、本発明の通信装置は、端末以外の通信装置であっても構わない。
【０１９７】
図１３は、本発明の最小限の通信装置である通信装置１１１ｘの構成を表すブロック図である。
【０１９８】
通信装置１１１ｘは、通信部１０１ｘと、処理部１０２ｘとを備える。
【０１９９】
処理部１０２ｘは、図示しないネットワークを管理する図示しない管理装置との間で所定の通信が行えない状況にあるという判定結果を得た場合に当該状況に係る状況情報を作成する。
【０２００】
通信部１０１ｘは、前記判定結果を得ない場合に、前記管理装置との間で前記所定の通信が行える他の通信装置との間で無線による通信を行い、前記判定結果を得た場合に、前記状況情報を含む無線信号の送出を行う。
【０２０１】
通信装置１１１ｘは、通信装置１１１ｘが前記判定結果を得た場合は、前記状況情報を含む前記無線信号の送出を行う。
【０２０２】
そのため、前記無線信号を受けた場合に、前記無線信号に含まれる前記状況情報を利用者等に対し出力するものが前記無線信号を受けた場合には、前記利用者等は、前記状況情報を取得する。そして、前記利用者等は、前記状況情報に応じた措置を端末１１１に対して講じることができる。
【０２０３】
そのため、通信装置１１１ｘは、前記構成により、［発明の効果］の項に記載した効果を奏する。
【０２０４】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０２０５】
また、前記の実施形態の一部又は全部は、以下の付記のようにも記述され得るが、以下には限られない。
【０２０６】
（付記Ａ１）
ネットワークを管理する管理装置との間で所定の通信が行えない状況にあるという判定結果を得た場合に当該状況に係る状況情報を作成する処理部と、
前記判定結果を得ない場合に、前記管理装置との間で前記所定の通信が行える他の通信装置との間で無線による通信を行い、前記判定結果を得た場合に、前記状況情報を含む無線信号の送出を行う、通信部と、
を備える、通信装置。
【０２０７】
（付記Ａ２）
前記状況が、直接、及び、前記管理装置との間で通信可能ないずれの通信装置を介して、のいずれにおいても前記所定の通信が行えないことである、付記Ａ１に記載された通信装置。
【０２０８】
（付記Ａ３）
前記状況情報が自己の識別情報を含む、付記Ａ１又は付記Ａ２に記載された通信装置。
【０２０９】
（付記Ａ４）
前記状況情報が前記ネットワークの識別情報を含む、付記Ａ１乃至付記Ａ３のうちのいずれか一に記載された通信装置。
【０２１０】
（付記Ａ５）
前記状況情報が自己の故障に関する故障情報を含む、付記Ａ１乃至付記Ａ４のうちのいずれか一に記載された通信装置。
【０２１１】
（付記Ａ６）
前記故障情報を、前記通信部が取得したログ情報から導出する、付記Ａ５に記載された通信装置。
【０２１２】
（付記Ａ７）
前記ログ情報が、前記通信部が試みた通信に係るログ情報を含む、付記Ａ６に記載された通信装置。
【０２１３】
（付記Ａ８）
前記状況情報が自己についてのデータを含む、付記Ａ１乃至付記Ａ７のうちのいずれか一に記載された通信装置。
【０２１４】
（付記Ａ９）
前記データが自己の部分について計測した計測データを含む、付記Ａ８に記載された通信装置。
【０２１５】
（付記Ａ１０）
前記計測データが、自己の電源電圧、前記部分の温度及び前記部分の湿度のうちの少なくとも一つを含む、付記Ａ９に記載された通信装置。
【０２１６】
（付記Ａ１１）
前記送出が電波の放出である、付記Ａ１乃至付記Ａ１０のうちのいずれか一に記載された通信装置。
【０２１７】
（付記Ａ１２）
前記送出が光の放出である、付記Ａ１乃至付記Ａ１０のうちのいずれか一に記載された通信装置
（付記Ａ１３）
自己が端末である付記Ａ１乃至付記Ａ１２のうちのいずれか一に記載された通信装置。
【０２１８】
（付記Ｂ１）
他の通信装置が属すべきネットワークを管理する管理装置との間で所定の通信が行えない状況にある他の通信装置が放出する、前記状況についての状況情報を含む無線信号を受け取り得る通信部と、
前記無線信号に含まれる前記状況情報を取得する処理部と、
前記状況情報の出力を行う出力部と
を備える通信装置。
【０２１９】
（付記Ｂ２）
前記状況が、直接、及び、前記管理装置との間で通信可能ないずれの通信装置を介して、のいずれにおいても前記所定の通信が行えないことである、付記Ｂ１に記載された通信装置。
【０２２０】
（付記Ｂ３）
前記出力が、前記通信部を介しての前記管理装置に対する前記状況情報の送付である、付記Ｂ１又は付記Ｂ２に記載された通信装置。
【０２２１】
（付記Ｂ４）
前記状況情報の送付が、前記管理装置に対する、直接、又は、前記ネットワークに属するいずれかの通信装置を介しての、送付である、付記Ｂ３に記載された通信装置。
【０２２２】
（付記Ｂ５）
前記いずれかの通信端末との間で通信を行い得る位置において、前記送付を行う、付記Ｂ３又は付記Ｂ４に記載された通信装置。
【０２２３】
（付記Ｂ６）
移動により、前記通信部が前記無線信号を受け取る、付記Ｂ１乃至付記Ｂ５のうちのいずれか一に記載された通信装置。
【０２２４】
（付記Ｂ７）
前記移動のための移動手段をさらに備える、付記Ｂ６に記載された通信装置。
【０２２５】
（付記Ｂ８）
前記ネットワークの範囲外において前記無線信号を受け取る、付記Ｂ１乃至付記Ｂ７のうちのいずれか一に記載された通信装置。
【０２２６】
（付記Ｂ９）
前記いずれの通信装置との間でも通常の通信が行えない位置において、前記通信部が前記無線信号を受け取る、付記Ｂ１乃至付記Ｂ８のうちのいずれか一に記載された通信装置。
【０２２７】
（付記Ｂ１０）
前記状況情報が前記他の通信装置の識別情報を含む、付記Ｂ１乃至付記Ｂ９のうちのいずれか一に記載された通信装置。
【０２２８】
（付記Ｂ１１）
前記状況情報が前記ネットワークの識別情報を含む、付記Ｂ１乃至付記Ｂ１０のうちのいずれか一に記載された通信装置。
【０２２９】
（付記Ｂ１２）
前記状況情報が前記他の通信装置の故障に関する故障情報を含む、付記Ｂ１乃至付記Ｂ１１のうちのいずれか一に記載された通信装置。
【０２３０】
（付記Ｂ１３）
前記故障情報を、前記他の通信装置が、前記他の通信装置が取得したログ情報から導出する、付記Ｂ１２に記載された通信装置。
【０２３１】
（付記Ｂ１４）
前記ログ情報が、前記通信装置が試みた通信に係るログ情報である、付記Ｂ１３に記載された通信装置。
【０２３２】
（付記Ｂ１５）
前記状況情報が前記他の通信装置についてのデータを含む、付記Ｂ１乃至付記Ｂ１４のうちのいずれか一に記載された通信装置。
【０２３３】
（付記Ｂ１６）
前記データが前記他の通信装置の部分について計測された計測データを含む、付記Ｂ１５に記載された通信装置。
【０２３４】
（付記Ｂ１７）
前記計測データが、前記他の通信装置の電源電圧、前記部分の温度及び前記部分の湿度のうちの少なくとも一つを含む、付記Ｂ１６に記載された通信装置。
【０２３５】
（付記Ｂ１８）
前記送出が電波の放出である、付記Ｂ１乃至付記Ｂ１７のうちのいずれか一に記載された通信装置。
【０２３６】
（付記Ｂ１９）
前記送出が光の放出である、付記Ｂ１乃至付記Ｂ１７のうちのいずれか一に記載された通信装置。
【０２３７】
（付記Ｂ２０）
自己が端末である付記Ｂ１乃至付記Ｂ１９のうちのいずれか一に記載された通信装置。
【０２３８】
（付記Ｂ２１）
前記他の通信装置が端末である付記Ｂ１乃至付記Ｂ２０のうちのいずれか一に記載された通信装置。
【０２３９】
（付記Ｃ１）
ネットワークを管理する管理装置との間で所定の通信が行えない状況にあるという判定結果を得た場合に当該状況に係る状況情報を作成する第一の処理部と、前記判定結果を得ない場合に、前記管理装置との間で前記所定の通信が行える他の通信装置との間で無線による通信を行い、前記状況判定を行った場合に、前記状況情報を含む無線信号の送出を行う通信部と、を備える、第一の通信装置と、
前記無線信号を受け取り得る通信部と、前記無線信号に含まれる前記状況情報を取得する第二の処理部と、前記状況情報の出力を行う出力部と、を備える第二の通信装置と、
を備える通信システム。
【０２４０】
（付記Ｄ１）
ネットワークを管理する管理装置との間で所定の通信が行えない状況にあるという判定結果を得た場合に当該状況に係る状況情報を作成し、前記状況情報を含む無線信号を送出する、
無線信号送出方法。
【０２４１】
（付記Ｅ１）
ネットワークを管理する管理装置との間で所定の通信が行えない状況にあるという状況結果を得た場合に当該状況に係る状況情報を作成する処理と、前記状況情報を含む無線信号の送出を行う処理と、
をコンピュータに実行させる無線信号送出プログラム。
【０２４２】
（付記Ｆ１）
通信装置が属すべきネットワークを管理する管理装置との間で所定の通信が行えない状況にある前記通信装置が放出する、前記状況についての状況情報を含む無線信号を受け取り、
前記無線信号に含まれる前記状況情報を取得し、
前記状況情報を出力する
出力方法。
【０２４３】
（付記Ｇ１）
通信装置が属すべきネットワークを管理する管理装置との間で所定の通信が行えない状況にある前記通信装置が放出する、前記状況についての状況情報を含む無線信号を受け取る処理と、
前記無線信号に含まれる前記状況情報を取得する処理と、
前記状況情報を出力する処理と
をコンピュータに実行させる、出力プログラム。
【符号の説明】
【０２４４】
１０１、１０１ｘ    通信部
１０２    通信処理部
１０２ｘ    処理部
１０３    孤立監視部
１０４    故障監視部
１０５    計測部
１０６    記録部
１１１ｘ    通信装置
１５１ａ、１５１ｂ    通信システム
１９８ａ、１９８ｂ、１９８Ａ、１９８Ｂ、１９８Ｃ、１９８Ｄ、１９８Ｅ、１９８Ｆ、１９８Ｇ    位置
１９９ａ、１９９ｂ    矢印
５０１、５０２、５０３    ＮＷ
１１０、Ａ、Ｂ、Ｃ、Ｄ、Ｅ、Ｆ、Ｉ、Ｍ、Ｘ、Ｙ、Ｚ    端末
Ｈ、Ｓ、Ｔ    サーバ
【図１】
2018098625.tif 000003
【図２】
2018098625.tif 000004
【図３】
2018098625.tif 000005
【図４】
2018098625.tif 000006
【図５】
2018098625.tif 000007
【図６】
2018098625.tif 000008
【図７】
2018098625.tif 000009
【図８】
2018098625.tif 000010
【図９】
2018098625.tif 000011
【図１０】
2018098625.tif 000012
【図１１】
2018098625.tif 000013
【図１２】
2018098625.tif 000014
【図１３】
2018098625.tif 000015